(57)【特許請求の範囲】
【請求項１】
発射位置から発射された発射球が上昇して通過する縦長な発射領域と、遊技盤の表面に形成され、前記発射領域を通過して案内された発射球が流下する途中で遊技を行う遊技領域と、を備え、
前記発射領域は、遊技盤の表面の前方から断面コ字状の発射覆い面材で覆って区画された溝であり、
前記遊技領域の側部寄りの前方に前記発射領域を配置して重層させ、前記発射領域における上部から前記遊技領域に渡って発射球を円弧状に誘導する縦長バンド状の誘導部材を設けた遊技機であって、
前記発射領域における上部のうち円弧状に湾曲した部分であって前記遊技領域寄りの部分を、上昇するにしたがって後方に位置する前記遊技盤の表面側に近づく方向に傾斜して前記遊技領域に連通する傾斜流路とするとともに、この傾斜流路を前記遊技盤の表面の前方から覆う部分を傾斜覆い面材とし、
前記誘導部材は、前記発射領域、傾斜流路、及び遊技領域の側縁に沿って縦長円弧状に配設され、
前記発射覆い面材のうち、円弧状に湾曲した前記傾斜流路の外側円弧部分に、発射領域の下半における前記溝の深さと同じ深さで細溝を形成し、前記誘導部材のうち当該誘導部材を挟んで前記遊技盤とは反対側に位置する前縁を前記細溝へ挿入し、
前記傾斜覆い面材が上部へ向かうにつれて遊技盤の表面側に近づく方向に傾斜したことにより生じ、上昇するにしたがって増大する前記傾斜覆い面材と前記発射覆い面材との境界の前後位置の段差の部分に境界段差面材を形成し、該境界段差面材により前記傾斜覆い面材と前記発射覆い面材とを連続させるとともに、該境界段差面材を前記した細溝の傾斜流路側を区画する区画材とし、この区画材としての前記境界段差面材の細溝側の内面に沿わせて前記誘導部材を配置したことを特徴とする遊技機。
【請求項２】
前記境界段差面材から、細溝を挟んで反対側に位置する前記発射覆い面材側に向けて所定間隔の隙間を空けて背当て部材を設け、該背当て部材と前記境界段差面材との間に円弧状に形成された嵌合溝内に前記誘導部材の前縁を嵌合したことを特徴とする請求項１に記載の遊技機。
【請求項３】
前記誘導部材は、可撓性を有する金属製帯板から作製され、前記発射領域側及び前記遊技領域側に止着される止着部が上下両端部に形成され、
前記背当て部材と誘導部材の相対向する部位に、係止片を一方に形成し、該係止片が嵌合する係止窪みを他方に形成したことを特徴とする請求項２に記載の遊技機。
【発明の詳細な説明】
【技術分野】
【０００１】
本発明は、遊技球を発射装置から発射し、この発射球を発射領域から遊技領域へ案内するパチンコ遊技機等の遊技機に関する。
【背景技術】
【０００２】
従来の遊技機（例えば、パチンコ機）は、ベニヤ板の前面に合成樹脂製の額縁状の装飾部材（区画部材や鑑賞ケース）を設けた遊技盤を備えており、装飾部材の内側の縁に円弧状に起立壁を形成し、この円弧状起立壁の内側開口をベニヤ盤面で覆うことにより、換言すると装飾部材に形成した円弧状の起立壁により盤面を囲むことで遊技盤表面に遊技領域を区画形成している。そして、円弧状の壁の内面に沿ってステンレス製のバンド状誘導部材を装着し、この誘導部材により遊技球を誘導するように構成している。
【特許文献１】特開２００３−３１０９７３号公報
【発明の開示】
【発明が解決しようとする課題】
【０００３】
ところで、円弧状にバンド状誘導部材を取り付けるためには、バンド状誘導部材の前端若しくは後端を挿入するための溝を円弧状に形成することが好ましい。しかしながら、バンド状誘導部材の内面側にも起立壁を設けると、遊技領域内を流下転動する遊技球に悪影響を及ぼす虞がある。
【０００４】
本発明は、上記の事情に鑑みてなされたものであり、その目的は、バンド状誘導部材の端部を挿入するための溝を円弧状に形成しても遊技領域を流下転動する遊技球に悪影響を及ぼすことがない遊技機を提供することにある。
【課題を解決するための手段】
【０００５】
本発明は、上記目的を達成するために提案されたものであり、請求項１に記載のものは、発射位置から発射された発射球が上昇して通過する縦長な発射領域と、遊技盤の表面に形成され、前記発射領域を通過して案内された発射球が流下する途中で遊技を行う遊技領域と、を備え、
前記発射領域は、遊技盤の表面の前方から断面コ字状の発射覆い面材で覆って区画された溝であり、
前記遊技領域の側部寄りの前方に前記発射領域を配置して重層させ、前記発射領域における上部から前記遊技領域に渡って発射球を円弧状に誘導する縦長バンド状の誘導部材を設けた遊技機であって、
前記発射領域における上部のうち円弧状に湾曲した部分であって前記遊技領域寄りの部分を、上昇するにしたがって後方に位置する前記遊技盤の表面側に近づく方向に傾斜して前記遊技領域に連通する傾斜流路とするとともに、この傾斜流路を前記遊技盤の表面の前方から覆う部分を傾斜覆い面材とし、
前記誘導部材は、前記発射領域、傾斜流路、及び遊技領域の側縁に沿って縦長円弧状に配設され、
前記発射覆い面材のうち、円弧状に湾曲した前記傾斜流路の外側円弧部分に、発射領域の下半における前記溝の深さと同じ深さで細溝を形成し、前記誘導部材のうち当該誘導部材を挟んで前記遊技盤とは反対側に位置する前縁を前記細溝へ挿入し、
前記傾斜覆い面材が上部へ向かうにつれて遊技盤の表面側に近づく方向に傾斜したことにより生じ、上昇するにしたがって増大する前記傾斜覆い面材と前記発射覆い面材との境界の前後位置の段差の部分に境界段差面材を形成し、該境界段差面材により前記傾斜覆い面材と前記発射覆い面材とを連続させるとともに、該境界段差面材を前記した細溝の傾斜流路側を区画する区画材とし、この区画材としての前記境界段差面材の細溝側の内面に沿わせて前記誘導部材を配置したことを特徴とする。
【０００６】
請求項２に記載のものは、前記境界段差面材から、細溝を挟んで反対側に位置する前記発射覆い面材側に向けて所定間隔の隙間を空けて背当て部材を設け、該背当て部材と前記境界段差面材との間に円弧状に形成された嵌合溝内に前記誘導部材の前縁を嵌合したことを特徴とする請求項１に記載の遊技機である。
【０００７】
請求項３に記載のものは、前記誘導部材は、可撓性を有する金属製帯板から作製され、前記発射領域側及び前記遊技領域側に止着される止着部が上下両端部に形成され、
前記背当て部材と誘導部材の相対向する部位に、係止片を一方に形成し、該係止片が嵌合する係止窪みを他方に形成したことを特徴とする請求項２に記載の遊技機である。
【発明の効果】
【０００８】
請求項１に記載の発明によれば、発射位置から発射された発射球が上昇して通過する縦長な発射領域と、遊技盤の表面に形成され、前記発射領域を通過して案内された発射球が流下する途中で遊技を行う遊技領域と、を備え、
前記発射領域は、遊技盤の表面の前方から断面コ字状の発射覆い面材で覆って区画された溝であり、
前記遊技領域の側部寄りの前方に前記発射領域を配置して重層させ、前記発射領域における上部から前記遊技領域に渡って発射球を円弧状に誘導する縦長バンド状の誘導部材を設けた遊技機であって、
前記発射領域における上部のうち円弧状に湾曲した部分であって前記遊技領域寄りの部分を、上昇するにしたがって後方に位置する前記遊技盤の表面側に近づく方向に傾斜して前記遊技領域に連通する傾斜流路とするとともに、この傾斜流路を前記遊技盤の表面の前方から覆う部分を傾斜覆い面材とし、
前記誘導部材は、前記発射領域、傾斜流路、及び遊技領域の側縁に沿って縦長円弧状に配設され、
前記発射覆い面材のうち、円弧状に湾曲した前記傾斜流路の外側円弧部分に、発射領域の下半における前記溝の深さと同じ深さで細溝を形成し、前記誘導部材のうち当該誘導部材を挟んで前記遊技盤とは反対側に位置する前縁を前記細溝へ挿入し、
前記傾斜覆い面材が上部へ向かうにつれて遊技盤の表面側に近づく方向に傾斜したことにより生じ、上昇するにしたがって増大する前記傾斜覆い面材と前記発射覆い面材との境界の前後位置の段差の部分に境界段差面材を形成し、該境界段差面材により前記傾斜覆い面材と前記発射覆い面材とを連続させるとともに、該境界段差面材を前記した細溝の傾斜流路側を区画する区画材とし、この区画材としての前記境界段差面材の細溝側の内面に沿わせて前記誘導部材を配置したので、誘導部材の前縁を挿入するための溝を円弧状に形成しても境界段差を利用して誘導部材を装備することができる。したがって、発射領域と傾斜流路と遊技領域に沿って誘導される球の動きに悪影響を及ぼすことがない。
【０００９】
請求項２に記載の発明によれば、境界段差面材から、細溝を挟んで反対側に位置する前記発射覆い面材側に向けて所定間隔の隙間を空けて背当て部材を設け、該背当て部材と境界段差面材との間に円弧状に形成された嵌合溝内に誘導部材の前縁を嵌合したので、誘導部材を一層安定した状態で装備することができる。
【００１０】
請求項３に記載の発明によれば、誘導部材は、可撓性を有する金属製帯板から作製され、前記発射領域側及び遊技領域側に止着される止着部が上下両端部に形成され、背当て部材と誘導部材の相対向する部位に、係止片を一方に形成し、該係止片が嵌合する係止窪みを他方に形成したので、係止片と係止窪みとの係止により背当て部材に誘導部材を容易に仮固定することができ、誘導部材の取付作業の容易化を図ることができる。
【発明を実施するための最良の形態】
【００１１】
以下、代表的な遊技機であるパチンコ遊技機を例に挙げて本発明の実施の最良の形態を図面に基づき説明する。図１はパチンコ遊技機の斜視図、図２は透明部材保持枠の正面図、図３は図２中のＡ−Ａ断面図、図４は図２中のＢ−Ｂ断面図、図５は透明部材ユニットの分解斜視図である。
【００１２】
パチンコ遊技機１は、外枠（機枠あるいは本体枠）２に前面枠（内枠）３を開閉可能に軸着し、この前面枠３のベースとなる略額縁状の前面枠本体４に矩形状の遊技盤５を収納可能とし、遊技盤５の表面には、区画部材（サイドケース）７を配置して略円形状の遊技領域８を区画形成し、該遊技領域８内に表示装置や入賞口等の役物（いずれも図示せず）を配設して流下してくる遊技球が入賞口等に入賞するかにより遊技を行えるように構成してある。また、前面枠３の前面側には、一側（図１中、右側）が軸着された透明部材保持枠９を開閉（回動）可能に設け、該透明部材保持枠９に透視可能な透明部材ユニット１０を収納し、透明部材ユニット１０の一側には、遊技球を遊技領域８内へ案内するための縦長な発射領域（発射案内路）１１を形成し、透明部材保持枠９を閉じると、遊技盤５が透明部材保持枠９により覆われるとともに、透明部材ユニット１０の透明部材１２と発射案内路（発射領域１１）が遊技領域８の前方（詳しくは遊技領域８の側部寄りの前方）に配置（重層）され、透明部材１２を通して発射領域１１の後方に重層された遊技領域８も含めてすべての遊技領域８を前方から視認できるように構成している。なお、発射領域１１の後方開口は、透明部材保持枠９を閉じると、区画部材７の前面７´により下半部分塞がれる。
【００１３】
さらに、透明部材保持枠９の下方には、一側（図１中、右側）が軸着された横長な貯留皿ユニット１４を開閉（回動）可能に備え、該貯留皿ユニット１４の側方（図１中、右側方）には、後述する発射装置１７を操作するための発射操作ユニット（発射操作ハンドル）１８を備えている。
【００１４】
透明部材保持枠９は、図２に示すように、大きな開口部を開設した合成樹脂製の枠体であり、大きな開口部内に透明部材ユニット１０を裏側から嵌装してある。透明部材ユニット１０は、図５乃至図７に示すように、透明な合成樹脂板を略馬蹄形に成形するとともに一側に縦長な溝状の発射領域１１を一体成形した透明部材１２と、発射領域１１内の一側部に縦方向に取り付けた縦長バンド状の誘導部材１３と、該誘導部材１３の裏側に設けた背当て部材１５とから概略構成され、透明部材１２の周囲の取付片１０´が透明部材保持枠９側にねじ留めされている。
【００１５】
発射領域１１は、透明部材１２の裏面側から表側に凹ませた断面コ字状の溝、すなわち、前方から断面コ字状の発射覆い面材１１ａで覆って区画した溝であり、溝の深さ（透明部材１２の裏面から溝の底、すなわち発射覆い面材１１ａの正面部分の内側面までの空間の寸法）は遊技球の直径よりも少し大きな寸法に設定され、また、左右幅は、下端が最も幅広であって、上昇するに従って次第に幅員が減少し、幅狭となった上部であって次第に円弧状に湾曲した部分（発射領域１１の先端）においては溝の底面に相当する面が傾斜覆い面材２０ａの傾斜覆い面１６として形成され、上昇する（すなわち、傾斜覆い面材２０ａの上部へ向かう）につれて遊技領域８側（言い換えると、遊技盤５の表側）に近づく方向に傾斜しており、この部分が傾斜流路２０として機能し、その終端が遊技領域８に接続（連通）している。そして、本実施形態においては、発射覆い面材１１ａのうち遊技盤５の表面に向いた内面、詳しくは、円弧状に湾曲した傾斜流路２０の外側円弧部分に、発射領域１１の下半の溝の深さと同じ深さで細い溝１１ｂを形成し、この細溝１１ｂ内に背当て部材１５の前縁及び誘導部材１３の前縁（詳しくは、誘導部材１３を挟んで遊技盤５とは反対側に位置する前縁）を挿入して各前縁を細溝１１ｂの底面に当接乃至近接させる（図４）。この様に、傾斜流路２０の外側に隣接した状態で、発射覆い面１１ａの下半と面一（すなわち、遊技領域側に近づかない面）になる底面を有する細溝１１ｂを形成すると、その途中においては、図４に示すように、傾斜流路２０を前方から覆う傾斜覆い面材２０ａと前記発射覆い面材１１ａとの境界に、上昇するにしたがって増大する前後位置の段差が生じることとなり、この傾斜覆い面材２０ａと発射覆い面材１１ａとの間で前後位置の差が生じる段差（言い換えると、遊技盤５の前後方向に沿ってずれた段差）の部分に境界段差面材１９を形成、換言すると段差をつなげる境界段差面材１９を形成することにより発射覆い面材１１ａと傾斜覆い面材２０ａとを連続させ、この境界段差面材１９を細溝１１ｂの区画材として機能させ、この境界段差面材１９に沿わせて前記誘導部材１３及び背当て部材１５を配置してある。
【００１６】
なお、本実施形態では発射領域１１の幅員を次第に減少させるために、外側に位置する溝内面（発射覆い面材１１ａの側壁の内面）はほぼ垂直に起立した状態で形成し、この溝内面とは反対側の溝内面、すなわち遊技領域８の中央に近い側の溝内面を、上昇するに従って反対側の溝内面に近づけることで幅員が次第に狭くなるように形成している。また、円弧状に湾曲した前記発射領域１１の上半部分と傾斜流路２０の一側部（外側の溝内面）に、発射球を沿わせて前記遊技領域８に向けて誘導するバンド状の誘導部材１３を設けると共に背当て部材１５を取り付けてある。
【００１７】
背当て部材１５は、図８に示すように、誘導部材１３の上半部分の幅と同様に下から上に進むにしたがって幅員が増大するように設定された合成樹脂製の円弧状板状部材であり、湾曲した面の外側に、取付孔１５ａを開設した固定用耳片１５ｂを３つ突設し、前縁には、誘導部材１３に突設した係止片４３ａが嵌合する係止窪み４３ｂを形成してある。この背当て部材１５を透明部材ユニット１０に取り付ける場合には、円弧状に形成された発射領域１１の上部から傾斜流路２０に亘って形成された一連の細溝１１ｂの内部であって円弧の外側に位置する内面（境界段差面材１９）に沿わせるとともに境界段差面材１９から所定間隔の隙間を空けて配置し、固定用耳片１５ｂを透明部材１２側に当接し、取付孔１５ａ内にねじを挿入して透明部材１２側の受部１１ｃ（図２参照)に固定する。そして、この様にして背当て部材１５を取り付けると、境界段差面材１９と背当て部材１５との間に円弧状の嵌合溝４４が形成され、この嵌合溝４４内に前端（前縁）を嵌合した状態で誘導部材１３を取り付ける。
【００１８】
誘導部材１３は、前記した発射領域１１、傾斜流路２０、及び遊技領域８の側縁に沿って配設され、ステンレスバンド等の金属帯板材により作製されているので弾性を有しており、発射領域１１の垂直部分に添設される下半部分の幅は、発射領域１１の溝の深さと同様であって装着時に発射領域１１の溝から突出しない寸法に設定されており、その一方、円弧状に湾曲した発射領域１１の上部から傾斜流路２０に亘って添設される上半部分の幅は、上になるにしたがって次第に幅広となって装着時に後端縁が透明部材１２の内側の面から遊技領域８側に庇状に突出して発射球を発射領域１１から遊技領域８内に円滑に誘導できるように設定されている。また、この誘導部材１３の前縁には小さな爪状の係止片４３ａを突設し、上端には、端部を一端外側（上方）に屈曲してから再度折り返す方向に屈曲したコ字状の上引っ掛け止着部１３ａ（本発明における止着部の一種）を形成し、下端には円弧の外側にコ字状に屈曲した引っ掛け止着部１３ｂ（本発明における止着部の一種）を形成してある。
【００１９】
誘導部材１３を取り付けるには、途中の部分を前記細溝１１ｂ内に挿入した状態で上端の引っ掛け止着部１３ａを傾斜流路２０の先方に形成したコ字状の止着溝部２１内に嵌合し、この止着溝部２１の隣りに開設したねじ孔２１ａ内にねじ（図示せず）を螺合して締め付けることによりねじの頭部で引っ掛け止着部１３ａを押し付けて透明部材１２側に固定する。次に、細溝１１ｂに背当て部材１５を挿入すると、誘導部材１３の途中部分も嵌合溝４４内に十分な深さで嵌合して前端が発射覆い面材１１ａに当接乃至近接し、前縁に形成した小さな爪状の係止片４３ａが背当て部材１５の係止窪み４３ｂに嵌合し、仮固定される。仮固定したならば次に、図１１に示すように、誘導部材１３の下端の引っ掛け止着部１３ｂをレバー状に成形された弾力調整部材２２の嵌合溝部２３内に嵌合してカバー２２´を被せる。そして、この弾力調整部材２２を、外側の溝内面の途中に形成した切欠部２４内の軸着受部２８に回動可能な状態で軸着した状態で発射領域１１の一側に装着されている。したがって、弾力調整部材２２の回動角度を調整すると、誘導部材１３の張り具合を調整することができ、背後に配設した背当て部材１５への押圧を調整でき、これにより誘導部材１３は、弾力を適度に調節された状態で発射領域１１の一側に装着される。
なお、前記した弾力調整部材２２は、自由端側の孔２５内に挿通したピン（図示せず）を、切欠部２４側に開設された複数の止着調整孔２６のいずれに差し込んで止着するかによって誘導部材１３の張り具合を段階的に調整することができる構成を採っているが、誘導部材１３の弾力を調整することができればどのような構成でも良い。
【００２０】
また、このようにして円弧状に装着した誘導部材１３は、発射領域１１内を勢い良く上昇して発射球が円弧内面に当って、その後、当該発射球が円弧内面に沿って上昇するにしたがって遊技領域８側に誘導されるように、図４に示すように、当該誘導部材１３の取付基端縁側よりも先端縁側が遊技領域８の中央側、すなわち、前記した発射領域１１と傾斜流路２０の他側側に位置する傾斜状態（誘導傾斜角度θ）で取り付ける。また、この誘導部材１３を設ける範囲は、発射領域１１の外側の溝内面の略垂直部分のほぼ半分から上の部分であり、図３に示すように、後述する発射装置１７による発射動作によって発射された発射球が発射領域１１内を垂直方向に上昇して誘導部材１３に当たる当接位置Ｐ１を、誘導傾斜角度θで遊技領域８側への誘導を行わなかった場合における前記傾斜覆い面材２０ａの傾斜覆い面１６の仮想当接点Ｐ０よりも下方、すなわち発射位置側に設定してある。したがって、発射球は、傾斜流路２０のＰ０で傾斜覆い面１６に当たるよりも先に当接位置Ｐ１で誘導部材１３に当り、これにより発射球は誘導傾斜角度θの設定と誘導部材１３の弾力で跳ね返されて遊技領域８側に円滑に誘導されながら上昇する。この円滑な誘導が行われるため、発射装置１７により発射された発射球が遊技領域８内に飛入する位置が安定し、所謂ムラ飛び現象の発生を抑制することができる。さらに、誘導部材１３は、弾性を有し、且つその弾性力を調整可能としたので、発射球が接触した時の大きすぎる跳ね返りを抑制して過不足のない跳ね返りに設定することができ、これによりムラ飛び現象の発生を一層確実に抑制することができる。
【００２１】
前面枠本体４は、矩形状の開口部を上寄りに開設した合成樹脂製枠体であり、図１に示すように、開口部の周縁に額縁状の遊技盤収納部３０を備え、遊技盤収納部３０内に遊技盤５を着脱可能な状態で収納するように構成されている。また、遊技盤収納部３０の下方にボード部３１を備え、該ボード部３１の上端に遊技盤載置部を設け、該遊技盤載置部上に遊技盤５の下端を載置することで、遊技盤５の上下方向の位置を規制できるように構成されている。さらに、ボード部３１の一側寄り（図１中、左寄り）の上部には、前面枠本体４の裏側の球排出装置（図示せず）から供給される賞球あるいは貸球としての遊技球を貯留皿ユニット１４へ排出する球排出口３２を開設している。そして、ボード部３１の他側寄り（図１中、右寄り）、すなわち発射操作ユニット１８寄りの位置には、貯留皿ユニット１４の自由端部を係止可能なロック係止受部３３を設け、該ロック係止受部３３に貯留皿ユニット１４の自由端部を係止して貯留皿ユニット１４を前面枠本体４に対して閉状態に維持できるように構成されている。
【００２２】
貯留皿ユニット１４は、遊技球を貯留し、この貯留した遊技球を弾発して遊技盤５の遊技領域８８へ発射するためのユニットである。貯留皿ユニット１４は、図１に示すように、横長なベースパネル（開閉部材）３４を備え、該ベースパネル３４の一端部（図１中、右端部）には、ベースパネル３４を前面枠本体４に対して開閉可能な状態で軸着する軸着部（ヒンジ部）３５を配置し、他側部（図１中、左側部）には、ロック係止受部３３に係止可能なロック係止部３６を配置している。また、ベースパネル３４の前面側には、遊技球を貯留可能な皿部材と、該皿部材の前側部およびベースパネル３４の前面側全体を覆うカバー部材とを配置している（いずれも図示せず）。さらに、ベースパネル３４の後面側には、球排出口３２から排出された遊技球（賞球または貸し球）、あるいは発射装置１７から発射されたが遊技領域８まで到達せずに発射領域１１を逆流してきた遊技球（ファール球）を流下させる横長な球流下樋３７と、該球流下樋３７の下流端に接続され、球流下樋３７を流下する遊技球を貯留皿ユニット１４の下方へ抜き出す球抜機構３８と、皿部材に貯留された遊技球を遊技領域８へ向けて発射する発射装置１７とを配置している。
【００２３】
なお、球流下樋３７は、図１２に示すように、その上流部（図８中、右側部）を発射装置１７の上方に配置し、この上流部の前後幅を下流部の前後幅よりも広く設定して略箱状の球受部４０を形成し、該球受部４０の後部に球受開口４１を開設して、球受開口４１と球排出口３２とが連通、すなわち球流下樋３７と球排出口３２とが連通するように構成されている。また、球受部４０の上部を開放して発射領域１１の下端に連通し、発射領域１１を逆流してきたファール球を球受部４０に受け入れるように構成されている。さらに、球受部４０の底部には、発射装置１７と発射領域１１とを連通（接続）する発射接続路４２を上下に貫通する状態で配置している。
【００２４】
そして、図１に示すように、ベースパネル３４の上側のうち自由端寄り、すなわち軸着部３５とは反対寄りの部分には、前後に貫通する流下開口を開設し、球流下樋３７をベースパネル３４の自由端側へ下り傾斜した状態、言い換えると球排出口３２の前方から流下開口へ向けて下り傾斜した状態で設定し、流下開口を介して皿部材の内側（詳しくは皿部材の内側の上部）と球流下樋３７の下流端とを連通している。また、貯留皿ユニット１４は、球排出口３２から排出された遊技球（賞球あるいは貸球）を球流下樋３７、流下開口、皿部材を経て発射装置１７へ供給するように構成されている。
【００２５】
次に、発射装置１７について説明する。
貯留皿ユニット１４の裏側に装着された発射装置１７は、図１２及び図１３に示すように、当該発射装置１７の基部となる発射ベース５２と、当該発射装置１７に供給された遊技球を往復回動動作により弾発する打球発射杵５３と、該打球発射杵５３を駆動するロータリーソレノイド５４等の回動駆動源と、打球発射杵５３の回動範囲を規制する回動規制部５５と、打球発射杵５３に接続されてその動きを球送り部材５６に伝えて連動させるリンク機構５７とを備えて構成され、後方に位置する前面枠本体４のボード部３１に対向する状態で配置されている。
【００２６】
発射ベース５２は、発射装置１７を貯留皿ユニット１４へ取り付けるための後方開放箱状の部材であり、その内部に打球発射杵５３および回動規制部５５を収容している。また、発射ベース５２の前側にはロータリーソレノイド５４を配置し、該ロータリーソレノイド５４の出力軸（発射回動軸）５８を当該発射ベース５２の中央部分よりも上寄りの位置を貫通して後方へ突出し、発射回動軸６０の先端（後端）に打球発射杵５３を軸着している。
【００２７】
また、発射ベース５２の後面側のうち発射回動軸６０の突出部分よりも上方には、遊技球を１個ずつ整列した状態で流下可能な球送り流路（整列路）５９を一側（図８中、右側）へ下り傾斜した姿勢で配置している。そして、球送り流路５９の上流端に、ベースパネル３４を前後に貫通する貫通流路を球送り流路５９に連通した状態で備え、該貫通流路の前端部を皿部材の傾斜下端に接続し、遊技球を貫通流路から球送り流路５９へ導入できるように構成されている。さらに、球送り流路５９の下流部（図８中、右側部）を下方へ屈曲し、この屈曲部に球送り部材５６を回動自在な状態で配置している。また、球送り流路５９の下流端の側方（図８中、右側方）には、球送り流路５９から供給された遊技球を１個保持可能な弾発球保持部６０を備え、該弾発球保持部６０に保持される遊技球の配置空間部を発射位置（球発射位置）としている。そして、該弾発球保持部６０の下部を開放して後述する打球発射杵５３の弾発部５３´を発射位置へ下方から進入可能とし、弾発球保持部６０および発射位置の上方には、発射領域１１の下端と発射位置とを上下に連通可能な発射接続路４２を備え、遊技球が発射位置から発射接続路４２を介して透明部材保持枠９の発射領域１１へ飛翔できるように構成されている。
【００２８】
打球発射杵５３は、図１２及び図１３に示すように、ロータリーソレノイド５４の発射回動軸６０に止着される軸着部分から縦長な杵部を発射位置側へ僅かに屈曲した状態で延設し、該杵部の先端部には、遊技球を弾発する弾発部５３´を発射位置側（右側）へ向けて突設している。そして、ロータリーソレノイド５４の駆動力により発射回動軸６０を揺動中心にして、弾発部５３´を発射位置へ向けて移動（回動）する第１動作と、自重により弾発部５３´を発射位置から離れる方向に戻り回動する第２動作とを行って揺動するように構成されている。さらに、打球発射杵５３のうち軸着部分（発射回動軸６０）を挟んで杵部と反対側には、回動規制部５５に衝突可能な発射ストッパー６１を杵部の延設方向とは異なる方向（杵部の延設方向から「へ」字状に屈曲した方向）へ向けて突設し、発射ストッパー６１および杵部を回動規制部５５に交互に係合（当接）することで、打球発射杵５３の回動範囲を規制するように構成されている。
【００２９】
回動規制部５５は、該打球発射杵５３と衝突して打球発射杵５３の回動動作を規制するための厚肉な円筒状の部材であり、衝撃を吸収し易い材料、例えばゴム材等の弾性体で形成されている。
【００３０】
この様な構成からなる発射装置１７から遊技球が発射されると、この発射球は、発射位置から発射接続路４２を介して透明部材保持枠９の発射領域１１へ飛翔し、この発射領域１１内を上昇する。そして、前記したように、傾斜流路２０の傾斜覆い面１６のＰ０よりも下方に設定した位置Ｐ１で誘導部材１３に、大きな入射角度（すなわち、誘導部材１３と僅かな角度で交差する状態）で接触し、その後は誘導部材１３の内面に沿って上昇する。この上昇時において、誘導部材１３が遊技領域８側に倒れた傾斜状態で装着されているので、発射球はこの誘導部材１３の誘導傾斜角度θにより遊技領域８側に案内され、最終的には遊技領域８内に飛入する。したがって、発射領域１１の上端部分に形成された傾斜覆い面１６に当る前に遊技領域８内に案内されることとなり、遊技領域８内に飛入する位置が発射球ごとに大きくずれることも抑制でき、円滑に飛入させることができる。このため、遊技者の発射勢の調整行為を反映させた遊技となり、ムラ飛び現象による遊技の興趣の低下を防止することができる。また、発射球が接する誘導部材１３の面には何らの突起物もないので、発射球が円滑に案内される。
【００３１】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【００３２】
また、本発明に係る遊技機は、パチンコ遊技機に限らず、雀球式遊技機、アレンジボール式遊技機などにも適用可能である。
【図面の簡単な説明】
【００３３】
【図１】透明部材保持枠を開放した状態におけるパチンコ遊技機の斜視図である。
【図２】透明部材保持枠の正面図である。
【図３】透明部材保持枠のＡ−Ａ断面図である。
【図４】図３に示す透明部材保持枠のＢ−Ｂ断面図である。
【図５】透明部材ユニットの分解斜視図である。
【図６】誘導部材を取り付ける前における透明部材ユニットの斜視図である。
【図７】誘導部材を取り付けた状態における透明部材ユニットの斜視図である。
【図８】背当て部材と誘導部材の上部の斜視図である。
【図９】（ａ）は背当て部材の正面図、（ｂ）は背当て部材の右側面図、（ｃ）は背当て部材の底面図である。
【図１０】誘導部材の上端部を止着する部分の拡大斜視図である。
【図１１】誘導部材の下端部を止着する部分の拡大斜視図である。
【図１２】発射装置とその周囲を斜視図である。
【図１３】（ａ）は発射装置の裏側（打球発射杵の取付側）から見た斜視図、（ｂ）は発射装置の表側（ロータリーソレノイドの取付側）から見た斜視図である。
【符号の説明】
【００３４】
１  パチンコ遊技機
３  前面枠
５  遊技盤
７  区画部材
８  遊技領域
９  透明部材保持枠
１０  透明部材ユニット
１１  発射領域
１１ａ  発射覆い面材
１１ｂ  細溝
１２  透明部材
１３  誘導部材
１５  背当て部材
１６  傾斜覆い面材の傾斜覆い面
１７  発射装置
２０  傾斜流路
２０ａ  傾斜覆い面材
４４  嵌合溝
【図１】
0004531009.tif 000002
【図２】
0004531009.tif 000003
【図３】
0004531009.tif 000004
【図４】
0004531009.tif 000005
【図５】
0004531009.tif 000006
【図６】
0004531009.tif 000007
【図７】
0004531009.tif 000008
【図８】
0004531009.tif 000009
【図９】
0004531009.tif 000010
【図１０】
0004531009.tif 000011
【図１１】
0004531009.tif 000012
【図１２】
0004531009.tif 000013
【図１３】
0004531009.tif 000014